(57)【特許請求の範囲】
【請求項１】
ひだ状に折りたたまれた外包外側シートとひだ状に折りたたまれた外包内側シートの外縁部を接合して形成された外包と、
上記外包の内部の中央付近に収容された平板状の吸水体とを備える尿パッド。
【請求項２】
上記外包外側シートは不透水性の材料からなり、上記外包内側シートは透水性の不織布からなることを特徴とする請求項１に記載の尿パッド。
【請求項３】
上記外包の内部に収容され、上記吸水体を内部に収容する内包を備え、上記外包と上記内包は上記外包の中央部で接合されることを特徴とする請求項１または請求項２に記載の尿パッド。
【請求項４】
上記吸水体は、その外周部にシール部を備えることを特徴とする請求項１ないし請求項３のいずれか１項に記載の尿パッド。
【請求項５】
上記吸水体の外側の面を覆う防水紙と上記吸水体の内側の面を覆う不織布を備えることを特徴とする請求項１ないし請求項４のいずれか１項に記載の尿パッド。
【請求項６】
上記吸水体は外縁部に切り欠きを備えることを特徴とする請求項１ないし請求項５のいずれか１項に記載の尿パッド。
【請求項７】
上記吸水体は外縁部に切り欠きを備え、
上記防水紙と上記不織布は、それぞれ、外縁部に切り欠きを備えることを特徴とする請求項５に記載の尿パッド。
【発明の詳細な説明】
【技術分野】
【０００１】
本発明は、下着の中に入れて用いられ泌尿器から漏れた尿を吸収して保水する男性用尿パッドに関する。
【背景技術】
【０００２】
尿パッドは、一般に不織布等を素材とした透水性を有する内面シート体と、合成樹脂フィルムや撥水処理を施した不織布等を素材とした不透水性を有する外面シート体と、高吸水性のポリマー等を素材とする吸水コア体を積層した積層体を素材に形成される。
【０００３】
特許文献１には、男性の性器の形状に合わせてカップ形状に形成された本体部を備えた男性用失禁パッドが記載されている（特許文献１の段落００１７、図１）。
【０００４】
特許文献２は、母乳パッドに関するものであるが、スリーブの内部に弾性伸縮部材を設けることが記載されている。弾性伸縮部材は、引張り力を与えられた状態でスリーブに固定され、この弾性伸縮部材の収縮力を利用して母乳パッドが椀状となるように構成されている（特許文献２の段落００３５、００３６、図２）。
【先行技術文献】
【特許文献】
【０００５】
【特許文献１】特開２０１２−２００４５３号公報
【特許文献２】特開２００８−２５５５３９号公報
【発明の概要】
【発明が解決しようとする課題】
【０００６】
特許文献１に記載の尿パッドのように、積層体を腕状に成形するためには、成形型等を用いる必要があり、そのため、加工に時間が多くかかり材料のロスも多くなるという問題がある。また、あらかじめ立体的に形成しておくと、尿パッドの厚さが大きくなり、包装材が多く必要となり、保管スペースも多く必要となるという問題がある。
【０００７】
特許文献２に記載の母乳パッドでは、弾性伸縮部材が肌に当たり使用者に違和感を与えるという問題がある。
【０００８】
そこで、本発明は、加工が簡単であり、未使用時の厚さが薄く、使用感のよい尿パッドを提供することを目的とする。
【課題を解決するための手段】
【０００９】
本発明の尿パッドは、ひだ状に折りたたまれた外包外側シートとひだ状に折りたたまれた外包内側シートの外縁部を接合して形成された外包と、外包の内部の中央付近に収容された平板状の吸水体とを備える。
【発明の効果】
【００１０】
本発明の尿パッドは、外包外側シートと外包内側シートにより構成された外包を備え、外包外側シートと外包内側シートは、折りたたまれた状態となっているから、尿パッドを椀状にするために成形型等による加工が不要である。また、あらかじめ立体成型した場合に比べて、未使用時の厚さを薄くすることができる。また、尿パッドを使用時に椀状に変形させるために、ゴム等の使用感を悪化させる部材を使用する必要がない。そのため、本発明によれば、加工が簡単であり、未使用時の厚さが薄く、使用感のよい尿パッドを提供することができる。
【図面の簡単な説明】
【００１１】
【図１】図１は、本発明の第１の実施形態である尿パッドの断面図である。
【図２】図２は、尿パッドの外面の形状を示す図である。
【図３】図３は、尿パッドの内面の形状を示す図である。
【図４】図４は、内包シートの形状を示す図である。
【図５】図５は、防水紙と不織布の形状を示す図である。
【図６】図６は、吸水体の形状を示す図である。
【図７】図７（ａ）、図７（ｂ）は、尿パッドの使用方法を説明する図である。
【図８】図８は、装着した状態の尿パッドの断面図である。
【発明を実施するための形態】
【００１２】
以下、本発明の実施の形態について、図面を参照しながら詳細に説明する。
図１は、本発明の一実施形態である尿パッド１の断面図である。図１では、尿パッド１の未使用時、すなわち運搬・保管時の状態を示している。図１の左側がトランクス等の下着に接する外側で、図１の右側が泌尿器に接する内側である。なお、図１では各部材の厚さを誇張して描いているので、尿パッド１の厚さも実際よりも厚く描かれている。
【００１３】
尿パッド１は、外側から、外包外側シート１１、内包シート３１、防水紙４０、吸水体５０、不織布４１、内包シート３１、外包内側シート２１を積層した構造となっている。
【００１４】
外包外側シート１１は、山折りの折り目１２と谷折りの折り目１３が交互に設けられ、ひだ状に折りたたまれている。外包内側シート２１も同様に、山折りの折り目２２と谷折りの折り目２３が交互に設けられ、ひだ状に折りたたまれている。
【００１５】
外包外側シート１１と外包内側シート２１は、外縁部１４、２４が接合されて外包１０を形成している。２枚の内包シート３１は、外縁部３２が接合されて内包３０を形成している。吸水体５０は、防水紙４０と不織布４１に挟み込まれた状態で内包３０の内部に収容され、内包３０は、外包１０に収容されている。
【００１６】
図２は、尿パッド１の外面の形状図、図３は、尿パッド１の内面の形状図である。
【００１７】
外包外側シート１１は、不透水性の材料からなり、折りたたんだ状態では角を丸めた二等辺三角形形状のシート状の部材である。外包外側シート１１には、横方向に山折りの折り目１２と谷折りの折り目１３が交互に設けられ、ひだ状に折りたたまれている。山折りの折り目１２は、折りたたまれた状態の外包外側シート１１の高さを約５等分する位置に４箇所設けられている。谷折りの折り目１３は、最も上に位置するものを除く３箇所の山折りの折り目１２の僅かに上の位置に３箇所と外包外側シート１１の下端と最も下に位置する山折りの折り目１２との中間に１箇所の、合計４箇所に設けられている。山折りの折り目１２と谷折りの折り目１３とを近接させることにより外包外側シート１１の重なり数は最も多い場所でも３枚となり（図１参照）、尿パッド１の厚さを小さくすることができる。
【００１８】
外包外側シート１１の素材としては、たとえばポリエステル樹脂やポリアミド樹脂等の合成樹脂を用いることができる。また、たとえば不織布に上述した合成樹脂によりラミネートしたものや、樹脂コーティング等により撥水処理を施した不織布等を用いることもできる。
【００１９】
外包外側シート１１の外面の上端付近にはずれ止めテープ６１が、下端付近にはずれ止めテープ６２がそれぞれ設けられている。ずれ止めテープ６１、６２は片面が外包外側シート１１に固定され、他面には粘着層が設けられ、この粘着層により尿パッド１を下着に貼り付ける。なお、未使用時には、粘着層に容易にはがせるラップ等をかぶせて、尿パッド１が意図しない場所に張り付くことを防止する。
【００２０】
外包内側シート２１は、透水性の材料からなり、外包外側シート１１と同型状の角を丸めた二等辺三角形のシート状の部材である。外包内側シート２１には、横方向に山折りの折り目２２と谷折りの折り目２３が交互に設けられ、ひだ状に折りたたまれている。山折りの折り目２２と谷折りの折り目２３の配置は、上述の外包外側シート１１の場合と同様である。
【００２１】
外包内側シート２１の素材としては、透水性を有することに加えて肌触りの良いものが好ましく、たとえば、ポリエステル繊維等の合成樹脂繊維、レーヨン等の半合成繊維、木綿等の天然繊維、あるいは、これらの混合繊維からなる不織布等を用いることができる。
【００２２】
外包外側シート１１と外包内側シート２１は重ね合わされて、外縁部１４、２４で接合されて一体とされ、外包１０を構成している。接合は接着剤や熱圧着等により行い、外縁部１４、２４の全周にわたって接合してもよいし、一部を接合するようにしてもよい。外包１０の外包外側シート１１と外包内側シート２１の間の空間には、内包３０が収容され、さらに内包３０の内部には防水紙４０と不織布４１に挟まれた状態で吸水体５０が収容されている。外包１０と内包３０は中心がほぼ一致する位置関係に配置されている。防水紙４０、不織布４１、吸水体５０は外包１０の左右方向の中央、上下方向には中央よりやや上の位置に配置されている。
【００２３】
なお、内包外側シート１１と外包内側シート２１の折り目の数と位置は、図２と図３に示したものに限定されない。また、内包外側シートと外包内側シートで折り目の位置と数が異なっていてもよい。
【００２４】
内包３０は、固定部２５で、たとえばのり付けすることにより外包１０の外包内側シート２１に固定されている。固定部２５の形状は、長方形には限らず円形等としてもよいが、内包シート３１の全体ではなく中央付近の狭い領域とするのがよい。防水紙４０と不織布４１と吸水体５０は、内包３０に対して固定されていない。
【００２５】
図４は、内包３０の形状を示す図である。内包シート３１は、折りたたんだ状態の外包外側シート１１よりもやや小さい二等辺三角形のシートである。内包シート３１の材質は、外包内側シート２１と同様の透水性の材料としてあり、吸水体５０に吸収された尿の漏出防止効果を一層高めている。
【００２６】
２枚の内包シート３１が、外縁部３２で接合されて一体とされ内包３０を構成している。接合は接着剤や熱圧着等により行い、外縁部３２の全周にわたって接合してもよいし、一部を接合するようにしてもよい。内包シート３１の外縁部３２以外の部分は接合されておらず、内包３０の内部には、防水紙４０と不織布４１と吸水体５０を収容することができる。
【００２７】
図５は、防水紙４０と不織布４１の形状を示す図である。防水紙４０と不織布４１は、内包シート３１内に収まる大きさと形状で、吸水体５０（図6参照）とほぼ同一形状の長方形のシート状部材である。防水紙４０と不織布４１の外周部には、それぞれ、４個の略３角形の切り欠き４２、４３が外周の各辺の中点付近に設けられている。この切り欠きは、外周部に切れ目を入れて防水紙４０と不織布４１が椀状に変形しやすくすることができれば、形状、個数、位置が図５と異なっていてもよい。
【００２８】
防水紙４０は、吸水体５０と外包外側シート１１の間に介挿されて吸水体５０の外側の面を覆い、不織布４１とともに吸水体５０を包み込むようにして吸水体５０の全域で尿の取り込みが行われるようにするとともに、やや硬い外包外側シート１１に対するクッション材として機能する。
【００２９】
不織布４１は、吸水特性が大きい外包内側シート２１と吸水特性がやや低い吸水体５０の間に介在して吸水体５０の内側の面を覆うことにより、外包内側シート２１から取り込んだ尿を一時保水して吸水体５０に徐々に取り込ませる機能を発揮する。すなわち、不織布４１は、外包内側シート２１から尿を素早く吸収することにより、外包内側シート２１が乾いた状態に維持されるようにするとともに、吸水体５０に効率よく拡散、保水されるようにする。
【００３０】
図６は、吸水体５０の形状を示す図である。吸水体５０は、内包シート３１に収まる大きさの長方形の板状部材である。吸水体５０の厚みは、他の部材に比べて厚く、たとえば２ｍｍ程度である。吸水体５０の外周部には、４個の略３角形の切り欠き５１が各辺の中点付近の位置に設けられている。切り欠きの形状、個数、位置が図６と異なっていてもよいのは、防水紙４０、不織布４１の場合と同様である。
【００３１】
吸水体５０の外周部には、シール部５２が設けられている。図６の例では、シール部５２は吸水体５０の外周部に全周にわたって防水紙４０と不織布４１を熱圧着することにより構成されている。
【００３２】
吸水体５０の材料としては、たとえば、高吸水性ポリマーと粉砕パルプの混合物を用いることができる。
【００３３】
図７（ａ）と図７（ｂ）は、尿パッド１の使用方法を説明する図である。まず、図７（ａ）のように尿パッド１の外包外側シート１１を下着７０の内側にずれ止めテープ６１、６２により貼り付ける。この時、排尿位置が尿パッド１の吸水体５０となるように貼り付ける。次に、下着７０に使用者の足を通して引き上げ、図７（ｂ）に示すように、尿パッド１の上部が泌尿器を覆い、下部が股から後ろに回り込むように装着する。
【００３４】
図８は、尿パッド１の使用時の形状を示す断面図である。尿パッド１は、下着７０と泌尿器との間に挟み込まれて使用される。外包外側シート１１と外包内側シート２１は、ひだが伸びることにより図１の状態に比べて長くなり、尿パッド１は全体として、泌尿器の形状に沿うように椀状に変形している。外包外側シート１１は、折り目１２、１３が開きひだがなくなって最大に伸びた状態となっている。外包内側シート２１は、折り目２２、２３が残ったまま、ひだ状に重なり合っている部分の長さが図１に比べて短くなり、全体の長さが図１に比べて長くなっている。図７では、外包外側シート１１の折り目が完全に広げられた状態を示しているが、外包１０は図１の状態と図８の状態の中間の状態に変形することもできるので、泌尿器の大きさに応じて適切に変形することができる。
【００３５】
内包３０、内包３０の内部の防水紙４０、不織布４１、吸水体５０も同様に椀状に変形し尿パッド１は、全体として椀状に変形している。内包３０はその中央付近の固定部２５（図３参照）で外包１０に固定されているから、内包３０、防水紙４０、不織布４１、吸水体５０は、外包１０の所定位置からずれることなく椀状に変形することができる。
【００３６】
防水紙４０、不織布４１、吸水体５０は、中央部が図８の左方向に突出しつつ、外周がやや小さくなるように変形する。このとき、防水紙４０、不織布４１、吸水体５０には、それぞれ切り欠き４２、４３、５１が設けられているので、外周部の切れ目が狭まることにより抵抗なくスムーズに変形することができる。
【００３７】
外包外側シート１１にはずれ止めテープ６１、６２が設けられている。そのため、使用者は下着をはく前に、尿パッド１を下着の適切な位置に貼り付けることができる。
【００３８】
上記の説明で、外包１０と内包３０は角を丸めた二等辺三角形形状としたが、台形、長方形等の他の形状とすることができる。また、防水紙４０、不織布４１、吸水体５０はすべて長方形形状としたが、楕円形、円形等の他の形状とすることもできる。
【００３９】
また、内包３０、防水紙４０、不織布４１は必須ではなく、これらの一部または全部を省くことができる。
【００４０】
尿パッド１の外包外側シート１１と外包内側シート２１は、ひだ状に折りたたまれているから、あらかじめ椀状の立体形状に形成された尿パッドに比べて未使用時の厚さを薄くすることができる。そのため、立体的に形成された尿パッドに比べて包装材料の量を削減することができる。また、立体的に形成された尿パッドに比べ体積が小さくなるので、保管のためのスペースが少なくて済み、運搬費用も削減することができる。
【００４１】
また、尿パッド１は、外包外側シート１１と外包内側シート２１の折り目１２、１３、２２、２３を広げることによって、泌尿器の大きさによらず泌尿器に沿って変形させることができる。言い換えると、泌尿器の大きさに応じて様々な大きさのものを製造する必要がない。また、立体的に加工する必要がないので、押し型等が不要で材料のロスも少なくなり製造コストを低減させることができる。さらに、使用時に椀状に変形させるためのゴム等の部材は必要なく、そのような部材が使用者の肌に当たることによる使用感の悪化がない。
【００４２】
下着に接する外包外側シート１１は不透水性の材料で形成され、使用者の肌に接する外包内側シートは透水性の不織布で形成されている。そのため、吸水体５０に吸収された尿が外側に漏れ出すのを防止するとともに、使用者に心地よい使用感を与えることができる。
【００４３】
内包３０は、その中央付近に位置する固定部で外包１０の中央部に固定されている。そのため、外包外側シート１１と外包内側シート２１の折り目を広げて椀状に変形させたときに、内包３０とその内部に収容されている防水紙４０、不織布４１、吸水体５０が外包１０の所定位置からずれることがない。
【００４４】
吸水体５０の外周部には、不透水性の材料からなるシール部５２が設けられている。そのため、吸水体５０に吸収された尿がゲル状になって外周面から漏れ出すのを防止することができる。
【００４５】
尿パッド１は、吸水体５０の外側の面を覆う防水紙４０と吸水体５０の内側の面を覆う不織布４１を備えている。そのため、吸水体５０に吸収された尿がゲル状になって外側の面から漏れ出すのを防止することができる。
【００４６】
吸水体５０は、外包１０により尿の漏出が防止されているのに加え、防水紙４０、不織布４１、シール部５２によって二重に漏出が防止されている。そのため、吸水体５０を小さくしても所要の吸水量を確保することができる。
【００４７】
防水紙４０、不織布４１、吸水体５０は、それぞれ外周部に切り欠き４２、４３、５１を備えている。そのため、使用時にスムーズに椀状に変形させることができる。
【００４８】
尿パッド１は、下着７０と固定する位置を調節することができる取付テープ６１、６２を備えている。そのため、使用者は尿パッド１の上下方向の位置を容易に調節することができる。
【符号の説明】
【００４９】
１、２、３、４  尿パッド
１０  外包
１１  外包外側シート
２１  外包内側シート
３０  内包
３１  内包シート
４０  防水紙
４１  不織布
４２、４３  切り欠き
５０  吸水体
５１  切り欠き
５２  シール部
６１、６２  ずれ止めテープ
【要約】
【課題】加工が簡単であり、未使用時の厚さが薄く、使用感のよい尿パッドを提供する。
【解決手段】本願発明の尿パッドは、ひだ状に折りたたまれた外包外側シートとひだ状に折りたたまれた外包内側シートの外縁部を接合して形成された外包と、上記外包の内部に収容された吸水体とを備えている。本願発明によれば、尿パッドを椀状に形成するために押し型等による加工が不要であり、簡単に加工することができる。また、使用時に椀状に変形させるから、未使用時の厚さを薄くすることができる。また、椀状に変形させるために、ゴム等の使用感を悪化させる部材を使用する必要がないので、使用感がよい。
【選択図】図１【図１】
0005956663.tif 000002
【図２】
0005956663.tif 000003
【図３】
0005956663.tif 000004
【図４】
0005956663.tif 000005
【図５】
0005956663.tif 000006
【図６】
0005956663.tif 000007
【図７】
0005956663.tif 000008
【図８】
0005956663.tif 000009